(57)【要約】【課題】ウエブの交換、気泡の混入を減らすなど、操作性を向上させる。【解決手段】払拭部材１１０と、払拭部材１１０に洗浄液を付与する洗浄液付与手段と、洗浄液が付与された払拭部材１１０をノズル面３０に押圧当接させる押圧手段１１８と、払拭部材走行駆動手段を有し、払拭部材１１０と吐出ヘッド１６とを相対的に移動させ払拭する払拭手段と、を備え、洗浄液付与手段は、洗浄液供給流路３５０と、洗浄液付与ノズル３００と、からなり、洗浄液付与ノズル３００は、払拭部材１１０と、払拭部材走行駆動手段と、押圧手段１１８と、が一体化されたケース１１２に備えられており、洗浄液供給流路３５０は、洗浄液供給流路３５０と洗浄液付与ノズル３００の接続部で大気開放されているノズル面清掃装置および画像記録装置である。【選択図】図５
2014015021.tif 000002
【特許請求の範囲】
【請求項１】
吐出ヘッドのノズル面を清掃するノズル面清掃装置において、
吸水性を有する長尺状の払拭部材と、
前記払拭部材に洗浄液を付与することで払拭部材を前記吐出ヘッドの払拭に適した量の洗浄液により湿潤された状態とする洗浄液付与手段と、
前記洗浄液が付与された払拭部材を前記ノズル面に押圧当接させる押圧手段と、
前記払拭部材を長手方向に所定の搬送経路に沿って走行させる払拭部材走行駆動手段を有し、前記ノズル面に押圧当接された前記払拭部材が前記払拭部材走行駆動手段により走行しながら前記ノズル面に沿って摺動するように前記払拭部材と前記吐出ヘッドとを相対的に移動させることで、前記ノズル面を前記洗浄液が付与された払拭部材で払拭する払拭手段と、を備え、
前記洗浄液付与手段は、洗浄液供給流路と、前記洗浄液供給流路に着脱可能に接続し前記払拭部材に洗浄液を付与する洗浄液付与ノズルと、からなり、
前記洗浄液付与ノズルは、前記払拭部材と、前記払拭部材走行駆動手段と、前記押圧手段と、が一体化されたケースに備えられており、
前記洗浄液供給流路は、前記洗浄液供給流路と前記洗浄液付与ノズルの接続部で大気開放されているノズル面清掃装置。
【請求項２】
前記洗浄液付与ノズルからの洗浄液の付与位置は、前記払拭部材の鉛直方向上側に設けられており、
前記洗浄液付与ノズルから洗浄液を滴下することにより前記払拭部材に前記洗浄液を付与する請求項１に記載のノズル面清掃装置。
【請求項３】
前記洗浄液供給流路の前記大気開放されている部分に切り欠き部を有する請求項１又は２に記載のノズル面清掃装置。
【請求項４】
前記洗浄液供給流路と前記洗浄液付与ノズルとが、ゴムシール部材を介して接続されている請求項１から３のいずれか１項に記載のノズル面清掃装置。
【請求項５】
前記洗浄液付与ノズルの先端が、折れ曲がり形状である請求項１から４のいずれか１項に記載のノズル面清掃装置。
【請求項６】
前記洗浄液付与ノズルの先端の形状が、鋭角である請求項５に記載のノズル面清掃装置。
【請求項７】
前記洗浄液付与ノズルの先端の形状が、曲率半径Ｒが１ｃｍ以下の半円形状である請求項５に記載のノズル面清掃装置。
【請求項８】
前記洗浄液付与ノズルは、表面が撥水性材料で形成されている請求項１から７のいずれか１項に記載のノズル面清掃装置。
【請求項９】
前記ノズル面が水平面に対して傾斜して配置されており、前記押圧手段が前記ノズル面に対応して傾斜して配置されている請求項１から８のいずれか１項に記載のノズル面清掃装置。
【請求項１０】
前記洗浄液付与ノズルからの洗浄液の付与位置は、前記傾斜の上側に設けられている請求項９に記載のノズル面清掃装置。
【請求項１１】
前記洗浄液付与ノズルへの洗浄液の供給を水頭差により行う請求項１から１０のいずれか１項に記載のノズル面清掃装置。
【請求項１２】
記録媒体を搬送する搬送手段と、
前記搬送手段によって搬送される記録媒体にインク滴を吐出して画像を形成する液滴吐出ヘッドと、
前記液滴吐出ヘッドのノズル面を清掃する請求項１から１１のいずれか１項に記載のノズル面清掃装置と、
を備えた画像記録装置。
【発明の詳細な説明】
【技術分野】
【０００１】
本発明はノズル面清掃装置および画像記録装置に係り、特に、洗浄液が付与された払拭部材をノズル面に当接させて、ノズル面を払拭するノズル面清掃装置および画像記録装置に関する。
【背景技術】
【０００２】
画像記録装置、例えば、インクジェット記録装置で用いられるインクジェットヘッドのノズル面には、使用によりインクの残渣、紙粉などのさまざまな異物が付着する。ノズル面に異物が付着していると、ノズルから吐出されるインク液滴が影響を受けてインク液滴の吐出方向にバラツキが生じ、記録媒体上の所定の位置にインク液滴を着弾させることが困難となり、画像品質が劣化する原因となる。そこで、インクジェット記録装置では、異物を定期的ワイピングなどのメンテナンス方法で除去することが重要となっている。
【０００３】
例えば下記の特許文献１には、払拭部材に洗浄液を供給し、払拭部材で吐出ヘッドの吐出部を払拭する構成を備えた液滴吐出装置が記載されている。また、特許文献２には、ワイピングシートに洗浄液を吐出し、ワイピングシートをノズル面に押しつけることで、ノズル面を払拭することが記載されている。
【先行技術文献】
【特許文献】
【０００４】
【特許文献１】特開２０１０−２８００６７号公報
【特許文献２】特開２００４−１９５９０８号公報
【発明の概要】
【発明が解決しようとする課題】
【０００５】
しかしながら、特許文献１、２に記載されている装置は、圧縮空気をタンクに送り、スプレーノズルなどで洗浄液を払拭部材に供給し、その払拭部材でノズル面の払拭を行なっている。しかしながら、スプレーノズルなどは交換が必要であり、洗浄液供給チューブとスプレーノズルを着脱すると、ノズルやチューブに気泡が混入し、交換初期時は、洗浄液量の調整が難しくなるなど操作性が著しく低下していた。また、払拭部材を交換する際に、スプレーノズルを取り外す必要があるため、その後、スプレーノズルの位置調整を行なう必要があり、この点からも操作性の低下が見られた。
【０００６】
本発明はこのような事情に鑑みてなされたものであり、洗浄液供給流路への気泡の混入を減らす、ウエブの交換を容易に行なうなど、操作性を向上させることができるノズル面清掃装置および画像記録装置を提供することを目的とする。
【課題を解決するための手段】
【０００７】
本発明は前記目的を達成するために、吐出ヘッドのノズル面を清掃するノズル面清掃装置において、吸水性を有する長尺状の払拭部材と、払拭部材に洗浄液を付与することで払拭部材を吐出ヘッドの払拭に適した量の洗浄液により湿潤された状態とする洗浄液付与手段と、洗浄液が付与された払拭部材をノズル面に押圧当接させる押圧手段と、払拭部材を長手方向に所定の搬送経路に沿って走行させる払拭部材走行駆動手段を有し、ノズル面に押圧当接された払拭部材が払拭部材走行駆動手段により走行しながらノズル面に沿って摺動するように払拭部材と吐出ヘッドとを相対的に移動させることで、ノズル面を洗浄液が付与された払拭部材で払拭する払拭手段と、を備え、洗浄液付与手段は、洗浄液供給流路と、洗浄液供給流路に着脱可能に接続し払拭部材に洗浄液を付与する洗浄液付与ノズルと、からなり、洗浄液付与ノズルは、払拭部材と、払拭部材走行駆動手段と、押圧手段と、が一体化されたケースに備えられており、洗浄液供給流路は、洗浄液供給流路と洗浄液付与ノズルの接続部で大気開放されているノズル面清掃装置を提供する。
【０００８】
本発明によれば、洗浄液付与手段として、洗浄液供給流路と洗浄液付与ノズルとを備え、洗浄液供給流路は大気開放され、洗浄液供給ノズルと接続されている。洗浄液供給流路から洗浄液供給ノズルへの洗浄液の供給を、大気開放し流路を分断し、洗浄液を流して供給しているので、洗浄液供給ノズルの交換を行なう際、気泡が混入することがない。したがって、洗浄液供給ノズルの交換を容易に行なうことができ、交換初期における洗浄液量の調整も容易に行なうことができる。
【０００９】
また、洗浄液付与ノズルは、払拭部材と払拭部材走行駆動手段と押圧手段とが一体化されたケースに備えられており、洗浄液付与ノズルと洗浄液供給流路とを取り外しても、洗浄液付与ノズルを所定の位置で保持しておくことができる。したがって、再度、洗浄液付与ノズルと洗浄液供給流路とを接続しても、洗浄液付与ノズルに位置決めをする必要がない。さらに、払拭部材の交換時においても、払拭部材を取り外しても、洗浄液付与ノズルは固定されているので、洗浄液付与ノズルの位置決めをする必要がなく、操作性を向上させることができる。
【００１０】
本発明の他の態様に係るノズル面清掃装置は、洗浄液付与ノズルからの洗浄液の付与位置は、払拭部材の鉛直方向上側に設けられており、洗浄液付与ノズルから洗浄液を滴下することにより払拭部材に洗浄液を付与することが好ましい。
【００１１】
本発明の他の態様に係るノズル面清掃装置によれば、洗浄液供給ノズルから払拭部材に洗浄液を滴下することで、洗浄液を供給することができる。したがって、洗浄液を所定の位置に確実に付与することができるので、洗浄液の量を少なくすることができる。スプレーノズルを使用した場合は、洗浄液が所定の位置に付与されない場合があり、無駄な洗浄液量が多かったが、本実施形態においては洗浄液量を減らすことができる。
【００１２】
本発明の他の態様に係るノズル面清掃装置は、洗浄液供給流路の大気開放されている部分に切り欠き部を有することが好ましい。
【００１３】
本発明の他の態様に係るノズル面清掃装置によれば、洗浄液供給流路の大気開放されている部分に切り欠き部を有するので、この切り欠き部から洗浄液を流れやすくすることができ、切り欠き部を有する方向に洗浄液を流すことができる。
【００１４】
本発明の他の態様に係るノズル面清掃装置は、洗浄液供給流路と洗浄液付与ノズルとが、ゴムシール部材を介して接続されていることが好ましい。
【００１５】
本発明の他の態様に係るノズル面清掃装置によれば、洗浄液供給流路と洗浄液付与ノズルとが、ゴムシール部材を介して接続されているので、洗浄液供給流路と洗浄液付与ノズルとの接合部をしっかりとシールすることができ、液漏れがなく、効率的に洗浄液を払拭部材に付与することができる。
【００１６】
本発明の他の態様に係るノズル面清掃装置は、洗浄液付与ノズルの先端が、折れ曲がり形状であることが好ましい。
【００１７】
本発明の他の態様に係るノズル面清掃装置によれば、洗浄液付与ノズルの先端を折れ曲がり形状とすることで、洗浄液を折れ曲がり形状の先端から垂らすことができるで、洗浄液を定位置に供給することができる。
【００１８】
本発明の他の態様に係るノズル面清掃装置は、洗浄液付与ノズルの先端の形状が、鋭角であることが好ましい。
【００１９】
本発明の他の態様に係るノズル面清掃装置は、洗浄液付与ノズルの先端の形状が、曲率半径Ｒが１ｃｍ以下の半円形状であることが好ましい。
【００２０】
本発明の他の態様に係るノズル面清掃装置によれば、洗浄液付与ノズルの先端の形状を、鋭角、または、半円形状とすることにより、先端形状の液切れ性を良くすることができ、洗浄液の供給を所定量で行なうことができる。
【００２１】
本発明の他の態様に係るノズル面清掃装置は、洗浄液付与ノズルは、表面が撥水性材料で形成されていることが好ましい。
【００２２】
本発明の他の態様に係るノズル面清掃装置によれば、洗浄液付与ノズルは、表面が撥水材料で形成されているので、洗浄液の液切れ性を良好にすることができる。したがって、所定量の洗浄液を払拭部材に付与しやすくすることができる。
【００２３】
なお、洗浄液付与ノズルの表面を撥水材料とする方法としては、洗浄液付与ノズル自体の材料を撥水性のある液切れ性の良い材質とすることもでき、また、表面を撥水性材料でコーティングすることもできる。
【００２４】
本発明の他の態様に係るノズル面清掃装置は、ノズル面が水平面に対して傾斜して配置されており、押圧手段がノズル面に対応して傾斜して配置されていることが好ましい。
【００２５】
本発明の他の態様に係るノズル面清掃装置によれば、ノズル面が水平面に対して傾斜して配置されている傾斜ヘッドにおいても、押圧手段をノズル面に対応させて傾斜させることで、ノズル面の払拭を行なうことができる。
【００２６】
本発明の他の態様に係るノズル面清掃装置は、洗浄液付与ノズルからの洗浄液の付与位置は、傾斜の上側に設けられていることが好ましい。
【００２７】
本発明の他の態様に係るノズル面清掃装置によれば、傾斜の上側において洗浄液を付与することで、重力により払拭部材上に洗浄液を伝播させることができる。したがって、洗浄液ノズルを払拭部材の幅方向の一部分に設けることで、払拭部材の幅方向に洗浄液を付与することができるので、装置を小型化することができる。
【００２８】
本発明の他の態様に係るノズル面清掃装置は、洗浄液付与ノズルへの洗浄液の供給を水頭差により行なうことが好ましい。
【００２９】
本発明の他の態様に係るノズル面清掃装置によれば、洗浄液の供給を水頭差により行なうことで、洗浄液を供給するためのポンプ、ノズル、吐出部材（スプレー）などを使用することなく、洗浄液の供給を行なうことができる。したがって、装置を小型化することができ、機構内を清潔に保つことができる。
【００３０】
本発明は、前記目的を達成するために、記録媒体を搬送する搬送手段と、搬送手段によって搬送される記録媒体にインク滴を吐出して画像を形成する液滴吐出ヘッドと、液滴吐出ヘッドのノズル面を清掃する上記記載のノズル面清掃装置と、を備えた画像記録装置を提供する。
【００３１】
本発明によれば、ノズル面清掃装置を備えているので、吐出安定性を高めることができる。また、ノズル面清掃装置を小型化することができるので、画像記録装置の各構成の配置の選択性を向上させることができる。また、払拭部材に洗浄液を付与した状態で、ノズル面の払拭を確実に行なうことができるので、ノズル面を傷付けることを防止することができる。
【発明の効果】
【００３２】
本発明のノズル面清掃装置および画像記録装置によれば、洗浄液供給流路と洗浄液付与ノズルの接続部で、洗浄液供給流路を大気開放したところで分断し、かつ、洗浄液供給流路と洗浄液付与ノズル着脱可能としているので、洗浄液付与ノズルの交換時に洗浄液供給流路内に気泡が入ることを防止することができる。また、ノズル面を払拭する押圧部材、払拭部材などが一体となったケースと洗浄液付与ノズルが一体となった構造としているので、洗浄液を所定の位置に設置することができ、洗浄液付与ノズルの位置決めを行なう必要がない。したがって、洗浄液付与ノズル、払拭部材などの交換時における操作性を向上させることができる。
【図面の簡単な説明】
【００３３】
【図１】インクジェット記録装置の画像記録部概略構成を示す断面図である。
【図２】インクジェット記録装置の画像記録部の正面図である。
【図３】インクジェットヘッドのノズル面の平面透視図である。
【図４】清掃装置をメンテナンス位置側から見た側面図である。
【図５】払拭ユニットの平面図である。
【図６】払拭ユニットを画像記録位置側から見た側面図である。
【図７】払拭ユニットの正面部分断面図である。
【図８】洗浄液供給流路の斜視図である。
【図９】洗浄液付与ノズルに洗浄液供給流路を固定した斜視図である。
【図１０】洗浄液付与ノズルに洗浄液供給流路を固定した状態を示す断面図である。
【図１１】（Ａ）洗浄液付与ノズルに洗浄液供給流路を固定した状態を示す断面図、（Ｂ）洗浄液付与ノズルの先端部の形状を示す図である。
【図１２】洗浄液付与ノズルの先端部の他の形状を示す図である。
【発明を実施するための形態】
【００３４】
以下、添付図面に従って本発明に係るノズル面清掃装置および画像記録装置の好ましい実施の形態について説明する。画像記録装置の一例としてインクジェット記録装置を例にして説明する。
【００３５】
≪インクジェット記録装置の画像記録部の構成≫
図１はインクジェット記録装置の画像記録部の概略構成を示す側面図である。
【００３６】
同図に示すように、本実施の形態のインクジェット記録装置の画像記録部１０は、記録媒体（枚葉紙）１２を画像記録ドラム１４によってドラム搬送する。そして、その画像記録ドラム１４による搬送過程でＣ（シアン）、Ｍ（マゼンタ）、Ｙ（イエロ）、Ｋ（クロ）の各色のインクの液滴を画像記録ドラム１４の周囲に配設されたインクジェットヘッド（液滴吐出ヘッド）１６Ｃ、１６Ｍ、１６Ｙ、１６Ｋから吐出させて、記録媒体１２の表面にカラー画像を画像記録する。
【００３７】
画像記録ドラム１４は、その回転軸１８の両端部を一対の軸受２２に軸支されて回転自在に設けられている（図２参照）。一対の軸受２２は、インクジェット記録装置の本体フレーム２０に設けられており、この一対の軸受２２に回転軸１８の両端部が軸支されることにより、画像記録ドラム１４は水平に取り付けられる（水平な設置面に対して回転軸１８が平行に取り付けられる。）。
【００３８】
画像記録ドラム１４の回転軸１８には、図示しない回転伝達機構を介してモータが連結されている。画像記録ドラム１４は、このモータに駆動されて回転する。
【００３９】
また、画像記録ドラム１４の周面には、記録媒体１２の先端部を把持するグリッパ２４が設けられている（本例では、外周面上の２カ所に設置されている。）。記録媒体１２は、このグリッパ２４に先端部を把持されて、画像記録ドラム１４の外周面上に保持される。
【００４０】
また、この画像記録ドラム１４には、図示しない吸着保持機構（たとえば、静電吸着、真空吸着）が備えられている。先端部をグリッパ２４に把持されて、画像記録ドラム１４の外周面上に巻き掛けられた記録媒体１２は、その裏面部を吸着保持機構によって吸着されて、画像記録ドラム１４の外周面上に保持される。
【００４１】
なお、本実施の形態のインクジェット記録装置において、記録媒体１２は、前段の工程から搬送ドラム２６を介して、画像記録ドラム１４に受け渡される。搬送ドラム２６は、画像記録ドラム１４に並列して配置されており、タイミングを合わせて、画像記録ドラム１４に記録媒体１２を受け渡す。
【００４２】
また、画像記録後の記録媒体１２は、搬送ドラム２８を介して、後段の工程に受け渡される。搬送ドラム２８は、画像記録ドラム１４に並列して配置されており、タイミングを合わせて、画像記録ドラム１４から記録媒体１２を受け取る。
【００４３】
４本のインクジェットヘッド１６Ｃ、１６Ｍ、１６Ｙ、１６Ｋは、記録媒体の幅に対応したラインヘッドで構成されており、画像記録ドラム１４の回転軸１８を中心とした同心円上に一定の間隔をもって放射状に配置されている。
【００４４】
なお、本例では、４本のインクジェットヘッド１６Ｃ、１６Ｍ、１６Ｙ、１６Ｋが、画像記録ドラム１４を挟んで左右対称になるように配置されている。すなわち、画像記録ドラム１４の中心を通る鉛直な線分に対してシアンのインクジェットヘッド１６Ｃとクロのインクジェットヘッド１６Ｋとが左右対称に配置されるとともに、マゼンタのインクジェットヘッド１６Ｍとイエロのインクジェットヘッド１６Ｙとが左右対称に配置されている。
【００４５】
このように配置された各インクジェットヘッド１６Ｃ、１６Ｍ、１６Ｙ、１６Ｋは、それぞれその下端部に形成されたノズル面３０Ｃ、３０Ｍ、３０Ｙ、３０Ｋが、画像記録ドラム１４の外周面に対向して配置されるとともに、それぞれそのノズル面３０Ｃ、３０Ｍ、３０Ｙ、３０Ｋが、画像記録ドラム１４の外周面から所定高さの位置に位置する（画像記録ドラム１４の外周面とノズル面３０Ｃ、３０Ｍ、３０Ｙ、３０Ｋとの間に同じ量のギャップが形成される。）。また、そのノズル面３０Ｃ、３０Ｍ、３０Ｙ、３０Ｋに形成されたノズル列が、記録媒体１２の搬送方向と直交して配置される。
【００４６】
そして、このように配置された各インクジェットヘッド１６Ｃ、１６Ｍ、１６Ｙ、１６Ｋからは、そのノズル面３０Ｃ、３０Ｍ、３０Ｙ、３０Ｋに形成されたノズルから画像記録ドラム１４の外周面に向けて垂直にインクの液滴が吐出される。
【００４７】
図３は、インクジェットヘッドのノズル面の平面透視図である。
【００４８】
なお、各インクジェットヘッド１６Ｃ、１６Ｍ、１６Ｙ、１６Ｋの構成は共通しているので、ここではインクジェットヘッド１６として、そのノズル面３０（３０Ｃ、３０Ｍ、３０Ｙ、３０Ｋ）の構成を説明する。
【００４９】
同図に示すように、ノズル面３０は、長方形状に形成され、その幅方向（記録媒体搬送方向）の中央部に一定幅を有するノズル形成領域３０Ａが形成され、そのノズル形成領域３０Ａを挟んでノズル保護領域３０Ｂが対称に形成される。
【００５０】
ノズル形成領域３０Ａは、ノズルが形成される領域であり、その表面には所定の撥液処理が施されている（撥液膜が被覆されている）。
【００５１】
ここで、図３に示すように、本実施の形態のインクジェットヘッド１６は、いわゆるマトリックスヘッドで構成され、ノズルＮがノズル形成領域３０Ａに二次元マトリクス状に配置される。より具体的には、記録媒体１２の搬送方向に対して所定角度傾斜した方向に複数のノズルＮが一定ピッチで配置されたノズルの列が形成されるとともに、そのノズルの列が記録媒体１２の搬送方向と直交する方向（ヘッドの長手方向）に一定ピッチで多数配列される。このようなノズルの配置構成とすることにより、ヘッドの長手方向（記録媒体１２の搬送方向と直交する方向）に投影される実質的なノズルＮの間隔を狭めることができ、ノズルＮの高密度化を図ることができる。
【００５２】
なお、マトリックスヘッドでは、このヘッドの長手方向に投影されるノズルの列が実質的なノズル列とされる。
【００５３】
ノズル形成領域３０Ａの両側に配置されるノズル保護領域３０Ｂは、ノズル形成領域３０Ａを保護するための領域であり、ノズル形成領域３０Ａは、このノズル保護領域３０Ｂから所定量退避して凹状に形成されている（０．２ｍｍ程度）。
【００５４】
なお、本実施の形態のインクジェットヘッド１６は、ノズル形成領域３０Ａにのみ撥液処理が施される（ノズル保護領域３０Ｂには撥液処理は施されない）。この場合、ノズル保護領域３０Ｂに液体が付着すると、液体はノズル保護領域３０Ｂに濡れ広がる。
【００５５】
また、本実施の形態のインクジェットヘッド１６は、いわゆるピエゾ方式でノズルＮからインクの液滴を吐出させる。すなわち、ノズル面３０に形成された各ノズルＮは、それぞれ圧力室Ｐに連通されており、この圧力室Ｐの壁面をピエゾ素子で振動させることにより、圧力室Ｐの容積を拡縮させて、ノズルＮからインクの液滴を吐出させる。
【００５６】
なお、インクの吐出方式は、これに限らずサーマル方式や静電アクチュエーターで吐出させる構成とすることもできる。
【００５７】
画像記録部１０は、以上のように構成される。この画像記録部１０において、記録媒体１２は、前段の工程から搬送ドラム２６を介して画像記録ドラム１４に受け渡され、画像記録ドラム１４の周面に吸着保持されて回転搬送される。そして、その搬送過程で各インクジェットヘッド１６Ｃ、１６Ｍ、１６Ｙ、１６Ｋの下を通過し、その通過時に各インクジェットヘッド１６Ｃ、１６Ｍ、１６Ｙ、１６Ｋから吐出されたインクの液滴が記録面に打滴されて、記録面にカラー画像が形成される。画像が記録された記録媒体１２は、画像記録ドラム１４から搬送ドラム２８に受け渡され、後段の工程へと搬送される。
【００５８】
さて、以上のように構成される画像記録部１０において、各インクジェットヘッド１６Ｃ、１６Ｍ、１６Ｙ、１６Ｋは、図２に示すように、ヘッド支持フレーム４０に取り付けられて、画像記録ドラム１４の周囲に配置される。
【００５９】
ヘッド支持フレーム４０は、画像記録ドラム１４の回転軸１８と直交して設けられた一対のサイドプレート４２Ｌ、４２Ｒと、その一対のサイドプレート４２Ｌ、４２Ｒを上端部で連結する連結フレーム４４とで構成されている。
【００６０】
一対のサイドプレート４２Ｌ、４２Ｒは、板状に形成されており、画像記録ドラム１４を挟んで互いに対向するように配置されている。この一対のサイドプレート４２Ｌ、４２Ｒの内側には、各インクジェットヘッド１６Ｃ、１６Ｍ、１６Ｙ、１６Ｋを取り付けるための取付部４６Ｃ、４６Ｍ、４６Ｙ、４６Ｋが設けられている（図２では、便宜上、取付部４６Ｙのみ図示）。
【００６１】
取付部４６Ｃ、４６Ｍ、４６Ｙ、４６Ｋは、画像記録ドラム１４の回転軸１８を中心とした同心円上に一定の間隔をもって放射状に配置されている。各インクジェットヘッド１６Ｃ、１６Ｍ、１６Ｙ、１６Ｋは、その両端に形成された被取付部４８Ｃ、４８Ｍ、４８Ｙ、４８Ｋ（図２では、便宜上、被取付部４８Ｙのみ図示）を取付部４６Ｃ、４６Ｍ、４６Ｙ、４６Ｋに固定することにより、ヘッド支持フレーム４０に取り付けられる。そして、このヘッド支持フレーム４０に取り付けられることにより、各インクジェットヘッド１６Ｃ、１６Ｍ、１６Ｙ、１６Ｋが、画像記録ドラム１４の回転軸１８を中心とした同心円上に一定の間隔をもって放射状に配置される。
【００６２】
ヘッド支持フレーム４０は、図示しないガイドレールにガイドされて、画像記録ドラム１４の回転軸１８と平行にスライド移動自在に設けられている。そして、図示しないリニア駆動機構（たとえば、送りネジ機構など）に駆動されて、図２に実線で示す「画像記録位置」と図２に破線で示す「メンテナンス位置」との間を移動する。
【００６３】
各インクジェットヘッド１６Ｃ、１６Ｍ、１６Ｙ、１６Ｋは、ヘッド支持フレーム４０を画像記録位置に位置させると、画像記録ドラム１４の周囲に配置され、画像記録可能な状態になる。
【００６４】
メンテナンス位置は、各インクジェットヘッド１６Ｃ、１６Ｍ、１６Ｙ、１６Ｋが画像記録ドラム１４から退避する位置に設定される。このメンテナンス位置には、各インクジェットヘッド１６Ｃ、１６Ｍ、１６Ｙ、１６Ｋを保湿するための保湿ユニット５０が設けられる。
【００６５】
保湿ユニット５０には、各インクジェットヘッド１６Ｃ、１６Ｍ、１６Ｙ、１６Ｋのノズル面を覆うキャップ５２Ｃ、５２Ｍ、５２Ｙ、５２Ｋ（図２では、便宜上、キャップ５２Ｙのみ図示）が備えられている。装置を長時間停止する場合などは、このキャップ５２Ｃ、５２Ｍ、５２Ｙ、５２Ｋでノズル面が覆われる。これにより、乾燥による不吐出が防止される。
【００６６】
なお、このキャップ５２Ｃ、５２Ｍ、５２Ｙ、５２Ｋには、図示しない加圧・吸引機構が備えられており、ノズル内を加圧・吸引できるように構成されている。
【００６７】
また、このキャップ５２Ｃ、５２Ｍ、５２Ｙ、５２Ｋには、図示しない洗浄液供給機構が備えられており、内部に洗浄液を供給できるように構成されている。
【００６８】
キャップ５２Ｃ、５２Ｍ、５２Ｙ、５２Ｋの下方位置には廃液トレイ５４が配置されている。キャップ５２Ｃ、５２Ｍ、５２Ｙ、５２Ｋに供給された洗浄液は、この廃液トレイ５４に廃棄され、廃液回収配管５６を介して廃液タンク５８に回収される。
【００６９】
画像記録位置とメンテナンス位置との間には、各インクジェットヘッド１６Ｃ、１６Ｍ、１６Ｙ、１６Ｋのノズル面３０Ｃ、３０Ｍ、３０Ｙ、３０Ｋを清掃するためのノズル面清掃装置６４が設けられている。各インクジェットヘッド１６Ｃ、１６Ｍ、１６Ｙ、１６Ｋは、メンテナンス位置から画像記録位置に移動する過程で、または、画像記録位置からメンテナンス位置に移動する過程で、このノズル面清掃装置６４によってノズル面３０Ｃ、３０Ｍ、３０Ｙ、３０Ｋが清掃される。
【００７０】
以下、このノズル面清掃装置６４の構成について説明する。
【００７１】
≪ノズル面清掃装置の構成≫
ノズル面清掃装置６４は、各インクジェットヘッド１６Ｃ、１６Ｍ、１６Ｙ、１６Ｋのノズル面３０Ｃ、３０Ｍ、３０Ｙ、３０Ｋに払拭ウエブを押圧当接させて、ノズル面３０Ｃ、３０Ｍ、３０Ｙ、３０Ｋを払拭する。ノズル面清掃装置６４は、ヘッド支持フレーム４０の移動経路上に配置される。各インクジェットヘッド１６Ｃ、１６Ｍ、１６Ｙ、１６Ｋをメンテナンス位置から画像記録位置に移動させた際、払拭ウエブでノズル面３０Ｃ、３０Ｍ、３０Ｙ、３０Ｋを払拭することができる。
【００７２】
図４は、ノズル面清掃装置をメンテナンス位置側から見た側面図である。
【００７３】
同図に示すように、ノズル面清掃装置６４は、各インクジェットヘッド１６Ｃ、１６Ｍ、１６Ｙ、１６Ｋに対応して設けられた払拭ユニット１００Ｃ、１００Ｍ、１００Ｙ、１００Ｋと、その払拭ユニット１００Ｃ、１００Ｍ、１００Ｙ、１００Ｋがセットされる清掃装置本体フレーム１０２とで構成されている。
【００７４】
（清掃装置本体フレームの構成）
清掃装置本体フレーム１０２は、水平に設置されており、図示しない昇降装置によって昇降自在に設けられている。この清掃装置本体フレーム１０２は、上端部が開口した箱状に形成されており、その内部に各払拭ユニット１００Ｃ、１００Ｍ、１００Ｙ、１００Ｋを装着するための払拭ユニット装着部１０４Ｃ、１０４Ｍ、１０４Ｙ、１０４Ｋが形成されている。
【００７５】
払拭ユニット装着部１０４Ｃ、１０４Ｍ、１０４Ｙ、１０４Ｋは、払拭ユニット１００Ｃ、１００Ｍ、１００Ｙ、１００Ｋを収容可能な空間として形成されており、上部が開口して形成されている。各払拭ユニット１００Ｃ、１００Ｍ、１００Ｙ、１００Ｋは、各払拭ユニット装着部１０４Ｃ、１０４Ｍ、１０４Ｙ、１０４Ｋの上部開口部から鉛直下向きに差し込むことにより、各払拭ユニット装着部１０４Ｃ、１０４Ｍ、１０４Ｙ、１０４Ｋにセットされる。
【００７６】
なお、各払拭ユニット装着部１０４Ｃ、１０４Ｍ、１０４Ｙ、１０４Ｋには、図示しないロック機構が備えられ、装着された払拭ユニット１００Ｃ、１００Ｍ、１００Ｙ、１００Ｋをロックできるように構成される。ロック機構は、例えば、払拭ユニット１００Ｃ、１００Ｍ、１００Ｙ、１００Ｋを払拭ユニット装着部１０４Ｃ、１０４Ｍ、１０４Ｙ、１０４Ｋに差し込むと、自動的に作動するように構成される。
【００７７】
＜払拭ユニットの構成＞
次に、払拭ユニット１００Ｃ、１００Ｍ、１００Ｙ、１００Ｋの構成について説明する。
【００７８】
なお、各払拭ユニット１００Ｃ、１００Ｍ、１００Ｙ、１００Ｋの基本構成は共通しているので、ここでは払拭ユニット１００として、その構成を説明する。払拭ユニット装着部１０４Ｃ、１０４Ｍ、１０４Ｙ、１０４Ｋについても同様であり、払拭ユニット装着部１０４として説明する。
【００７９】
図５は払拭ユニットの平面図、図６は払拭ユニットを画像記録位置側から見た側面図、図７は払拭ユニットの正面部分断面図である。
【００８０】
図５から７に示すように、払拭ユニット１００は、傾斜して設置された押圧ローラ１１８に帯状に形成された払拭ウエブ（払拭部材）１１０を巻き掛け、この押圧ローラ１１８に巻き掛けた払拭ウエブ１１０をインクジェットヘッドのノズル面に押圧当接させる。インクジェットヘッド１６のノズル面３０の払拭清掃は、インクジェットヘッド１６を図２に示すメンテナンス位置から画像記録装置に移動させると共に、払拭ウエブ１１０を押圧当接させながら走行させることにより行う。
【００８１】
この払拭ユニット１００は、ケース１１２と、押圧ローラ１１８と、帯状に形成された払拭ウエブ１１０を繰り出す繰出軸１１４と、払拭ウエブ１１０を巻き取る巻取軸１１６と、繰出軸１１４から繰り出された払拭ウエブ１１０が押圧ローラ１１８に巻き掛けられるようにガイドする前段ガイド１２０と、押圧ローラ１１８に巻き掛けられた払拭ウエブ１１０が巻取軸１１６に巻き取られるようにガイドする後段ガイド１２２と、払拭ウエブ１１０を搬送するグリッドローラ（駆動ローラ）１２４とを備えて構成される。本実施形態においては、「払拭手段」とは、インクジェットヘッド移動手段、および、繰出軸１１４、巻取軸１１６、グリッドローラ１２４からなる払拭部材走行駆動手段のことである。
【００８２】
払拭ウエブ１１０には、例えば、ＰＥＴ（polyethylene terephthalate；ポリエチレンテレフタラート）、ＰＥ（polyethylene；ポリエチレン）、ＮＹ（nylon；ナイロン）、アクリル等の極微細繊維を用いた編みまたは織りからなるシートが用いられ、払拭対象とするヘッドのノズル面の幅に対応した幅を有する帯状に形成される。
【００８３】
押圧ローラ１１８は、繰出軸１１４の上方に配置されており（本例では、押圧ローラ１１８と繰出軸１１４と巻取軸１１６とが同一直線上に配置されている。）、水平面に対して所定角度傾斜して配置されている。すなわち、この押圧ローラ１１８は、払拭ウエブ１１０をインクジェットヘッド１６のノズル面３０に押圧当接させるものであるため、払拭対象とするインクジェットヘッド１６のノズル面３０の傾きに合わせて傾けて配置されている（ノズル面と平行になるように配置されている）。
【００８４】
前段ガイド１２０は、第１前段ガイド１６０と、第２前段ガイド１６２とで構成され、繰出軸１１４から繰り出された払拭ウエブ１１０が、傾斜して設置された押圧ローラ１１８に巻き掛けられるようにガイドする。
【００８５】
一方、後段ガイド１２２は、第１後段ガイド１６４と、第２後段ガイド１６６とで構成され、傾斜して設置された押圧ローラ１１８に巻き掛けられた払拭ウエブ１１０が、水平に設置された巻取軸１１６に巻き取れるようにガイドする。
【００８６】
この前段ガイド１２０と後段ガイド１２２は、押圧ローラ１１８を挟んで対称に配置されている。すなわち、第１前段ガイド１６０と第１後段ガイド１６４とが押圧ローラ１１８を挟んで対称に配置されるとともに、第２前段ガイド１６２と第２後段ガイド１６６とが押圧ローラ１１８を挟んで対称に配置されている。
【００８７】
第１前段ガイド１６０は、所定の幅を有する板状に形成されており、昇降ステージ１７０の上に垂直に立設されている。この第１前段ガイド１６０は、上縁部１６０Ａが、払拭ウエブ１１０の巻き掛け部として形成されており、その表面が円弧状に形成されている。また、この上縁部１６０Ａは、水平面に対して所定角度傾斜して形成されており、これにより、払拭ウエブ１１０の走行方向が変換される。
【００８８】
第１後段ガイド１６４は、第１前段ガイド１６０と同じ構成である。すなわち、所定の幅を有する板状に形成されており、昇降ステージ１７０の上に垂直に立設されている。そして、その上縁部１６４Ａが、払拭ウエブ１１０の巻き掛け部として形成され、円弧状に形成されるとともに、水平面に対して所定角度傾斜して形成されている。
【００８９】
この第１前段ガイド１６０と第１後段ガイド１６４とが、押圧ローラ１１８を挟んで対称に配置されている。繰出軸１１４から繰り出された払拭ウエブ１１０は、第１前段ガイド１６０に巻き掛けられることにより、繰出軸１１４と直交する方向から押圧ローラ１１８と略直交する方向に方向転換される。また、後述する第２後段ガイド１６６に巻き掛けられた払拭ウエブ１１０は、第１後段ガイド１６４に巻き掛けられることにより、巻取軸１１６と直交する方向に方向転換される。
【００９０】
第２前段ガイド１６２は、両端部にフランジ１６２Ｌ、１６２Ｒを有するガイドローラとして構成されている。この第２前段ガイド１６２は、第１前段ガイド１６０と押圧ローラ１１８との間に配置され、第１前段ガイド１６０に巻き掛けられた払拭ウエブ１１０が、押圧ローラ１１８に巻き掛けられるようにガイドする。すなわち、第１前段ガイド１６０によって押圧ローラ１１８と略直交する方向に方向転換された払拭ウエブ１１０が、押圧ローラ１１８と直交する方向に走行するように、払拭ウエブ１１０の走行方向を微調整する。また、両端のフランジ１６２Ｌ、１６２Ｒによって、払拭ウエブ１１０の斜行を防止する。
【００９１】
この第２前段ガイド１６２は、一端をブラケット１６８Ａに片持ち支持されて、所定角度傾斜して設けられている。ブラケット１６８Ａは、図６に示すように、先端が屈曲したプレート状に形成されており、その基端部がケース本体１２６の背面上端部に固定されている。そして、そのケース本体１２６の上端部から上方に向けて垂直に突出して設けられている。第２前段ガイド１６２は、このブラケット１６８Ａの先端の屈曲部に片持ち支持されて回動自在に支持されている。
【００９２】
第２後段ガイド１６６は、第２前段ガイド１６２と同じ構成である。すなわち、両端部にフランジ１６６Ｌ、１６６Ｒを有するガイドローラとして構成され、一端をブラケット１６８Ｂに片持ち支持されて、所定角度傾斜して設けられている。ブラケット１６８Ｂは、先端が屈曲したプレート状に形成されており、その基端部がケース本体１２６の背面上端部に固定されている。第２後段ガイド１６６は、このブラケット１６８Ｂの先端の屈曲部に片持ち支持されて回動自在に支持されている。
【００９３】
この第２後段ガイド１６６は、押圧ローラ１１８と第１後段ガイド１６４との間に配置され、押圧ローラ１１８に巻き掛けられた払拭ウエブ１１０が、第１後段ガイド１６４に巻き掛けられるようにガイドする。
【００９４】
この第２前段ガイド１６２と第２後段ガイド１６６とが、押圧ローラ１１８を挟んで対称に配置されている。第１前段ガイド１６０によって押圧ローラ１１８と略直交する方向に方向転換された払拭ウエブ１１０は、第２前段ガイド１６２に巻き掛けられることにより、押圧ローラ１１８と直交する方向に走行するように、走行方向が微調整される。また、押圧ローラ１１８に巻き掛けられた払拭ウエブ１１０は、第１後段ガイド１６４に巻き掛けられるように、第２後段ガイド１６６によって走行方向が微調整される。そして、第１後段ガイド１６４に巻き掛けられることにより、巻取軸１１６と直交する方向に方向転換される。
【００９５】
このように、前段ガイド１２０と後段ガイド１２２は、段階的に払拭ウエブ１１０の走行方向を切り換えることにより、払拭ウエブ１１０が、無理なく押圧ローラ１１８に巻き掛けられるようにガイドする。
【００９６】
グリッドローラ１２４は、巻取軸１１６と平行（＝水平面と平行）に設けられており、その回転軸をケース本体１２６に設けられた軸受部に回動自在に支持されている。回転軸は、基端部がケース本体１２６の外側に突出して設けられており、その突出した基端部には、グリッドローラギア１８６が固着されている。グリッドローラ１２４は、このグリッドローラギア１８６が回転駆動されることにより回転する。
【００９７】
ここで、このグリッドローラ１２４を含む払拭ユニット１００の駆動機構について説明する。
【００９８】
本実施の形態の払拭ユニット１００では、巻取軸１１６を回転駆動するとともに、グリッドローラ１２４を回転駆動することにより、払拭ウエブ１１０を繰出軸１１４から巻取軸１１６に向けて走行させる。
【００９９】
上記のように、巻取軸１１６には、巻取軸ギア１５８が取り付けられている。一方、グリッドローラ１２４には、グリッドローラギア１８６が取り付けられている。この巻取軸ギア１５８とグリッドローラギア１８６は、図７に示すように、回転伝達ギア１８８に噛み合わされている。
【０１００】
回転伝達ギア１８８は、その回転軸が水平に設けられており、ケース本体１２６に設けられた軸受部１９０に回動自在に支持されている。巻取軸ギア１５８とグリッドローラギア１８６は、この回転伝達ギア１８８を回転させることにより、同じ方向に回転する。そして、この巻取軸ギア１５８とグリッドローラギア１８６とが回転することにより、巻取軸１１６とグリッドローラ１２４とが回転する。
【０１０１】
巻取軸ギア１５８とグリッドローラギア１８６とを回転させる回転伝達ギア１８８は、払拭ユニット１００を清掃装置本体フレーム１０２の払拭ユニット装着部１０４に装着すると、払拭ユニット装着部１０４内に設けられた駆動ギア１９２に噛み合わされる（図４参照）。
【０１０２】
駆動ギア１９２は、モータ１９４の出力軸に取り付けられており、払拭ユニット１００を払拭ユニット装着部１０４に装着した際、その回転伝達ギア１８８が歯合する位置に配置される。
【０１０３】
モータ１９４は、たとえば、パルスモータで構成され、払拭ユニット装着部１０４の底部に取り付けられる。このモータ１９４の駆動は、図示しない制御装置によって制御される。
【０１０４】
払拭ユニット１００の駆動機構は以上のように構成される。
【０１０５】
上記のように、払拭ユニット１００を清掃装置本体フレーム１０２の払拭ユニット装着部１０４に装着すると、払拭ユニット１００のケース１１２に設けられた回転伝達ギア１８８が、払拭ユニット装着部１０４に設けられた駆動ギア１９２に噛み合わされる。この状態でモータ１９４を駆動すると、そのモータ１９４の出力軸に取り付けられた駆動ギア１９２が回転し、その回転が回転伝達ギア１８８に伝達されて、回転伝達ギア１８８が回転する。
【０１０６】
回転伝達ギア１８８が回転すると、その回転伝達ギア１８８の回転が巻取軸ギア１５８とグリッドローラギア１８６とに伝達されて、巻取軸ギア１５８とグリッドローラギア１８６とが回転する。この結果、巻取軸１１６とグリッドローラ１２４とが回転する。そして、この巻取軸１１６とグリッドローラ１２４が回転することにより、繰出軸１１４に装着された繰出コア１３８から払拭ウエブ１１０が繰り出され、所定の走行経路を通って巻取軸１１６に装着された巻取コア１４２に巻き取られる。
【０１０７】
このように、払拭ユニット１００を払拭ユニット装着部１０４に装着すると、回転伝達ギア１８８が駆動ギア１９２に噛み合わされて、巻取軸１１６とグリッドローラ１２４とを駆動することが可能になる。
【０１０８】
また、図５から図７に示すように、ノズル面清掃装置６４は、払拭ウエブ１１０に洗浄液を付与する洗浄液付与ノズル３００を備える。洗浄液が付与された払拭ウエブ１１０によりノズル面３０を払拭することにより、ノズル面３０の清掃を行なうことができる。洗浄液付与ノズル３００は、払拭ユニット１００を形成するケース１１２の側面に固定板３０２により固定され、ケース１１２に一体となって形成されている。洗浄液付与ノズル３００は、払拭ユニット１００の上方に設けられており、洗浄液を洗浄液付与ノズル３００から滴下することで、払拭ウエブ１１０に洗浄液を付与する。
【０１０９】
洗浄液付与ノズル３００は、図８に示す洗浄液供給流路３５０が通過する洗浄液流路用穴３０４を備え、この洗浄液流路用穴３０４に洗浄液供給流路３５０を通すことで、洗浄液供給流路３５０から洗浄液付与ノズル３００に洗浄液を供給することができる。
【０１１０】
洗浄液の供給は、洗浄液が蓄えられたタンク（不図示）からポンプ、水頭差などを利用して供給することができるが、特に、水頭差を利用して行なうことが好ましい。水頭差を利用して行なうことにより、電磁弁（不図示）を開閉することで、洗浄液の供給をすることができる。また、洗浄液を供給するためのポンプを使用する必要がないため、装置を小型化することができ、装置を清潔に保つことができる。
【０１１１】
また、水頭差を利用して、電磁便の開閉により洗浄液の供給を行なうことで、洗浄液の供給タイミングにあわせた供給のＯＮ／ＯＦＦ、供給量の制御を行なうことができるので、必要な洗浄液量でノズル面の払拭を行なうことができるので、洗浄液の消費量を少なくすることができる。
【０１１２】
洗浄液付与ノズル３００に供給された洗浄液は、洗浄液付与ノズル３００上を通過し、洗浄液付与ノズル３００の先端から、払拭ウエブ１１０に滴下され、払拭ウエブ１１０に洗浄液が供給される。
【０１１３】
洗浄液付与ノズル３００の先端は、払拭ユニット１００の第２前段ガイド１６２の払拭ウエブ１１０の搬送方向の上流側の位置に設けられている。洗浄液付与ノズル３００から滴下される洗浄液は、払拭ウエブ１１０の第２前段ガイド１６２を通過する前に、払拭ウエブ１１０に付与される。また、洗浄液付与ノズル３００の先端は、払拭ウエブ１１０の搬送方向の幅方向で、第１前段ガイド１６０および第２前段ガイド１６２の傾斜の上側に配置されている。洗浄液付与ノズル３００の先端をこのような位置に配置することで、払拭ウエブ１１０に付与された洗浄液が、第２前段ガイド１６２の傾斜に沿って傾いて搬送される払拭ウエブ１１０の幅方向に伝わり、払拭ウエブ１１０の幅方向全面に洗浄液を付与することができる。
【０１１４】
なお、洗浄液付与ノズル３００先端の払拭ウエブ１１０の幅方向の位置は、上記の位置に特に限定されず、払拭ウエブ１１０の幅方向全面に洗浄液を付与する洗浄液ノズルとすることもできる。
【０１１５】
また、本実施形態では、洗浄液付与ノズル３００から払拭ウエブ１１０に洗浄液を滴下して、払拭ウエブ１１０に洗浄液を直接付与する形態としたが、これに限定されず、洗浄液付与ノズル３００から第２前段ガイド１６２上に洗浄液を滴下させ、この第２前段ガイド１６２を伝って払拭ウエブ１１０の幅方向全面に洗浄液を間接的に付与する形態としても良い。
【０１１６】
また、本実施形態においては、洗浄液付与ノズル３００をケース１１２と一体で形成しているため、洗浄液を払拭ウエブ１１０の所定の位置に確実に付与することができる。また、洗浄液付与ノズル３００から洗浄液を滴下することで、払拭ウエブ１１０に洗浄液を付与することができるので、払拭ウエブ１１０と洗浄液付与ノズル３００との距離を短くすることができる。したがって、洗浄液を所定の位置に確実に付与することができ、洗浄液の使用量を少なくすることができる。従来のスプレーなどを用いて洗浄液を付与する場合は、スプレーノズルと払拭ウエブとの距離が遠かったり、スプレーにより洗浄液が所定の位置に付与されないことがあり、全体として洗浄液量が多くなることがあった。本実施形態においては、滴下により、所定の払拭ウエブ１１０の位置に確実に付与することができるので、洗浄液の消費量を少なくすることができる。
【０１１７】
図８は洗浄液供給流路３５０の斜視図、図９は洗浄液供給流路３５０に洗浄液付与ノズル３００を装着した図、図１０、図１１は、洗浄液供給流路３５０の断面図である。なお、図８、図９においては、図中右側が洗浄液供給流路３５０や洗浄液付与ノズル３００が固定されている状態であり、左側が固定されていない状態である。各払拭ユニット１００Ｃ、１００Ｍ、１００Ｙ、１００Ｋのそれぞれに洗浄液付与ノズルが備えられており、各洗浄液付与ノズルに対応して洗浄液供給流路が設けられている。
【０１１８】
図中に示すように、洗浄液供給流路３５０は、洗浄液供給流路３５０の出口３５２が、大気開放されている。洗浄液供給流路３５０を通過し、洗浄液供給流路３５０の出口３５２から排出された洗浄液は、洗浄液付与ノズル３００を伝わって払拭ウエブ１１０に滴下される。
【０１１９】
本実施形態においては、洗浄液付与ノズル３００と、洗浄液供給流路３５０と、が着脱式に形成されている。洗浄液付与ノズル３００に設けられた洗浄液流路用穴３０４に下方から洗浄液供給流路３５０を通過させることで、洗浄液付与ノズル３００と洗浄液供給流路３５０とを結合させる。また、洗浄液付与ノズル３００と洗浄液供給流路３５０との結合部には、ゴムシール部材３５４を備えており、このゴムシール部材３５４が、洗浄液流路用穴３０４でシールされ密着固定されるため、液漏れを防止することができ、効率的に洗浄液を払拭部材に供給することができる。
【０１２０】
洗浄液付与ノズル３００と洗浄液供給流路３５０との固定は、洗浄液付与ノズル３００の側部に設けられた鉤３０６を、洗浄液供給流路３５０を固定する供給流路固定基板３５６の側部に設けられた鉤３５８（図８、９中においては、洗浄液付与ノズル３００が固定されていない洗浄液供給流路３５０側にのみ記載されているが、洗浄液付与ノズル３００が固定されている側についても同様に鉤３５８が設けられている）に嵌合させることで、洗浄液付与ノズル３００と洗浄液供給流路３５０とが固定される。
【０１２１】
図１０、１１は、洗浄液付与ノズル３００、洗浄液供給流路３５０の断面図である。図１０、１１に示すように、洗浄液供給流路３５０は、洗浄液付与ノズル３００上で大気開放されている。このように、洗浄液供給流路３５０の出口３５２を大気開放し、洗浄液供給流路３５０と洗浄液付与ノズル３００とを着脱可能とすることにより、洗浄液供給流路３５０内に空気が混入することを防止することができる。従来のように、スプレーを用いて洗浄液の付与を行なう場合は、洗浄液供給流路からスプレーの取り外しを行なう際、洗浄液供給流路内に空気が混入することがある。洗浄液供給流路内に空気が混入した状態でスプレーにより洗浄液を付与すると、洗浄液付与の初期時において、洗浄液量が安定していないという問題があった。本実施形態においては、洗浄液付与ノズル３００の交換を行なっても、洗浄液供給流路３５０内に空気が混入することを防止することができ、安定して洗浄液を払拭ウエブ１１０供給することができる。
【０１２２】
また、上述したように、洗浄液付与ノズル３００をケース１１２と一体とし、洗浄液供給流路３５０と着脱可能とすることにより、洗浄液供給流路３５０の取り外しを容易に行なうことができる。したがって、払拭済の払拭ウエブ１１０を交換する際に、複雑な構成とすることなく、払拭ウエブ１１０の交換を容易に行なうことができる。
【０１２３】
さらに、図１１に示すように、洗浄液供給流路３５０の出口３５２部分は、洗浄液付与ノズル３００の洗浄液流路用穴３０４から上方に突出した台座構造となっており、この台座構造の一部に、洗浄液付与ノズル３００の払拭ウエブ１１０への滴下方向側に切り欠き部３６０を有することが好ましい。洗浄液供給流路３５０の出口３５２に切り欠き部３６０を有することにより、洗浄液を所定の方向に流しやすくすることができる。また、洗浄液付与ノズル３００の先端３０８は、洗浄液が先端から定位置に所定の洗浄液量を正確に滴下できるように、先端３０８が払拭ウエブ１１０側に折れ曲がっていることが好ましい。洗浄液付与ノズル３００の先端３０８を払拭ウエブ１１０側に曲げることにより、洗浄液を曲げた先端３０８から滴下することができ、定位置に洗浄液を供給することができる。
【０１２４】
また、洗浄液付与ノズル３００の先端３０８は、液切れ性を良くするため、図１２（Ａ）に示すように、角度を鋭角とする、または、図１２（Ｂ）に示すように、曲率半径Ｒが１ｃｍ以下の半円とすることが好ましい。先端をこのような形状とすることにより、先端からの液切れ性を良好にすることができる。
【０１２５】
さらに、洗浄液付与ノズル３００の材質を液切れ性の良い材質、または、液切れ性の良い材質をコーティングすることにより、洗浄液付与ノズル３００上に洗浄液がとどまらず、洗浄液を流しやすくすることができ、好ましい。コーティングする材料としては、フッ素コーティングなどを挙げることができる。
【０１２６】
（その他の実施形態）
上記の実施形態では、インクジェットヘッドのノズル面の傾きに合わせて、押圧ローラが傾斜したノズル面清掃装置について説明したが、本発明はこれに限定されない。ヘッドが水平なノズル面に合わせて、押圧ローラが水平に設けられたノズル面清掃装置についても適用することができる。この場合、洗浄液付与ノズルは、洗浄液を払拭ウエブの幅方向全域に付与できるように、配置することが好ましい。
【０１２７】
また、払拭方法については、上記の実施形態においては、インクジェットヘッドを移動させると共に、払拭ウエブを走行させることでノズル面の清掃を行なっているが、インクジェットヘッドの移動を行わず、払拭ウエブをノズル面全面に押し当てて、払拭ウエブのみを走行させることで払拭清掃を行うこともできる。インクジェットヘッドの移動を行わない場合は、繰出軸１１４、巻取軸１１６、グリッドローラ１２４からなる払拭部材走行駆動手段が払拭手段となる。
【０１２８】
さらに、インクジェットヘッドは、記録媒体の全幅に対応する長さにわたって複数のノズルが並べられたラインヘッドに限定されず、ヘッドが記録媒体搬送方向と直交する方向に往復動作するシリアルヘッドにも適用することができる。
【符号の説明】
【０１２９】
１０…画像記録部、１２…記録媒体（枚葉紙）、１６…インクジェットヘッド、３０…ノズル面、６４…ノズル面清掃装置、１００…払拭ユニット、１１０…払拭ウエブ（払拭部材）、１１２…ケース、１１８…押圧ローラ、３００…洗浄液付与ノズル、３５０…洗浄液供給流路、３５４…ゴムシール部材、３６０…切り欠き部
【図１】
2014015021.tif 000003
【図２】
2014015021.tif 000004
【図３】
2014015021.tif 000005
【図４】
2014015021.tif 000006
【図５】
2014015021.tif 000007
【図６】
2014015021.tif 000008
【図７】
2014015021.tif 000009
【図８】
2014015021.tif 000010
【図９】
2014015021.tif 000011
【図１０】
2014015021.tif 000012
【図１１】
2014015021.tif 000013
【図１２】
2014015021.tif 000014